(57)【要約】【課題】  建築現場に出向いて、建築物に使用する建築材料や家具等の使用実態に即したシックハウスの原因物質の捕集が可能な移動式チャンバー装置及び移動式チャンバーによる試験方法を提供することにある。【解決手段】  車両の荷台に設けられたチャンバーと、チャンバー内に送り込む空気を清浄するフィルタと、清浄された空気を所定の温度及び所定の湿度に保持する恒温恒湿装置と、チャンバー内を所定温度に保持するヒーターと、チャンバー内の空気を捕集する空気捕集装置とを備え、車両により移動可能に設けられたチャンバー内に建築材料や家具等の試験部材を収納し、試験部材から放散される物質を含むチャンバー内の空気を捕集することを特徴とする。【選択図】図１
2006343211.tif 000002
【特許請求の範囲】
【請求項１】
車両の荷台に設けられたチャンバーと、
該チャンバー内に送り込む空気を清浄するフィルタと、
該清浄された空気を所定の温度及び所定の湿度に保持する恒温恒湿装置と、
該チャンバー内を所定温度に保持するヒーターと、
該チャンバー内の空気を捕集する空気捕集装置とを備え、
該車両により移動可能に設けられた該チャンバー内に建築材料や家具等の試験部材を収納し、
該試験部材から放散される物質を含む該チャンバー内の空気を捕集することを特徴とする移動式チャンバー装置。
【請求項２】
前記チャンバーが、車両の荷台用のコンテナにより形成されていることを特徴とする請求項１記載の移動式チャンバー装置。
【請求項３】
前記ヒーターが、住宅の床暖房用ヒーターで、前記チャンバーの壁内に配設されていることを特徴とする請求項１又は請求項２記載の移動式チャンバー装置。
【請求項４】
車両の荷台に設けられたチャンバーと、該チャンバー内に送り込む空気を清浄するフィルタと、該清浄された空気を所定の温度及び所定の湿度に保持する恒温恒湿装置と、該チャンバー内を所定温度に保持するヒーターと、該チャンバー内の空気を捕集する空気捕集装置とを備えた移動式チャンバー装置を用いて、
該車両により移動可能に設けられた該チャンバー内に建築材料や家具等の試験部材を収納し、
該試験部材から放散される揮発性有機化合物やホルムアルデヒド等のシックハウスの原因物質を含む該チャンバー内の空気を捕集することを特徴とする移動式チャンバーによる試験方法。
【請求項５】
前記移動式チャンバー装置のチャンバーが、車両の荷台用のコンテナにより形成されていることを特徴とする請求項４記載の移動式チャンバーによる試験方法。
【請求項６】
前記移動式チャンバー装置のヒーターが、住宅の床暖房用ヒーターで、前記チャンバーの壁内に配設されていることを特徴とする請求項４又は請求項５記載の移動式チャンバーによる試験方法。
【発明の詳細な説明】
【技術分野】
【０００１】
本発明は、建築材料等から放散する化合物を捕集するための移動式チャンバー装置及び移動式チャンバーによる試験方法に関する。
【背景技術】
【０００２】
従来より、建築材料や家具等から放散するシックハウスの原因物質である揮発性有機化合物（ＶＯＣ）、ホルムアルデヒド及びその他の化合物を捕集して測定する放散測定方法に小型チャンバー法がある。この放散測定方法には、小型チャンバーが用いられてきた。
【０００３】
従来の小型チャンバーとしては、例えば、非特許文献１に示される５００Ｌ小型チャンバーがある。この５００Ｌ小型チャンバーは、容量が５００リットルのチャンバー、空気清浄装置、温度・湿度制御装置、流量・風速制御装置、空気捕集装置、分析装置等から構成されている。チャンバー内には、空気清浄装置で清浄された空気が流量・風速制御装置で流量や風速を制御されて送り込まれている。また、チャンバー内の温度や湿度は、温度・湿度制御装置により、ＶＯＣ等の化合物の放散に適した条件に保持されている。
【０００４】
測定にあたっては、試験片をチャンバーに収納し、試験片からチャンバー内の空気中にＶＯＣ等が放散され、その放散されたＶＯＣ等を含むチャンバー内の空気を、空気捕集装置で捕集する。そして、捕集した空気を分析装置により分析する。
【非特許文献１】日本規格協会発行，「建築材料の揮発性有機化合物（ＶＯＣ）、ホルムアルデヒド及び他のカルボニル化合物放散測定法−小型チャンバー法」，ＪＩＳ  Ａ  １９０１，平成１５年１月２０日制定
【発明の開示】
【発明が解決しようとする課題】
【０００５】
しかしながら、従来の小型チャンバーでは、チャンバーが小さいと共に、チャンバーが分析施設内に据え付けられていることから、建築材料丸ごとではなく建築材料の一部分にしか過ぎない試験片しか測定できず、建築材料や家具等の使用実態に即した捕集が困難で、建築物の完成後にシックハウスの原因物質が問題になることがあった。
【０００６】
本発明は、このような事情に鑑みてなされたもので、建築現場に出向いて、建築物に使用する建築材料や家具等の使用実態に即したシックハウスの原因物質の捕集が可能な移動式チャンバー装置及び移動式チャンバーによる試験方法を提供することにある。
【課題を解決するための手段】
【０００７】
請求項１記載の移動式チャンバー装置は、車両の荷台に設けられたチャンバーと、チャンバー内に送り込む空気を清浄するフィルタと、清浄された空気を所定の温度及び所定の湿度に保持する恒温恒湿装置と、チャンバー内を所定温度に保持するヒーターと、チャンバー内の空気を捕集する空気捕集装置とを備え、車両により移動可能に設けられたチャンバー内に建築材料や家具等の試験部材を収納し、試験部材から放散される物質を含むチャンバー内の空気を捕集することを特徴とする。
【０００８】
請求項２記載の移動式チャンバー装置は、チャンバーが、車両の荷台用のコンテナにより形成されていることを特徴とする。
【０００９】
請求項３記載の移動式チャンバー装置は、ヒーターが、住宅の床暖房用ヒーターで、チャンバーの壁内に配設されていることを特徴とする。
【００１０】
請求項４記載の移動式チャンバーによる試験方法は、車両の荷台に設けられたチャンバーと、チャンバー内に送り込む空気を清浄するフィルタと、清浄された空気を所定の温度及び所定の湿度に保持する恒温恒湿装置と、チャンバー内を所定温度に保持するヒーターと、チャンバー内の空気を捕集する空気捕集装置とを備えた移動式チャンバー装置を用いて、車両により移動可能に設けられた該チャンバー内に建築材料や家具等の試験部材を収納し、試験部材から放散される揮発性有機化合物やホルムアルデヒド等のシックハウスの原因物質を含むチャンバー内の空気を捕集することを特徴とする。
【００１１】
請求項５記載の移動式チャンバーによる試験方法は、移動式チャンバー装置のチャンバーが、車両の荷台用のコンテナにより形成されていることを特徴とする。
【００１２】
請求項６記載の移動式チャンバーによる試験方法は、移動式チャンバー装置のヒーターが、住宅の床暖房用ヒーターで、チャンバーの壁内に配設されていることを特徴とする。
【発明の効果】
【００１３】
請求項１の発明によれば、車両により移動可能に設けられたチャンバー内に建築材料等の試験部材を収納することから、建築現場に出向いて、建築物に使用する建築材料や家具等の使用実態に即したシックハウスの原因物質の捕集が可能である。
【００１４】
請求項２の発明によれば、チャンバーが、既存の車両の荷台用のコンテナにより形成されていることから、容量の大きなチャンバーを容易に形成でき、装置のコストを抑えることが可能である。また、荷台用のコンテナは床面が長方形で、長手の建築材料や家具等を丸ごと収納してシックハウスの原因物質の捕集が可能である。
【００１５】
請求項３の発明によれば、ヒーターが、住宅の床暖房用ヒーターであることから、建築材料や家具等の使用環境に近似した環境での測定ができで、シックハウスの原因物質の実態に即した捕集が可能である。
【００１６】
請求項４の発明によれば、車両により移動可能に設けられたチャンバー内に建築材料等の試験部材を収納することから、建築現場に出向いて、建築物に使用する建築材料や家具等の使用実態に即したシックハウスの原因物質の捕集が可能である。
【００１７】
請求項５の発明によれば、チャンバーが、既存の車両の荷台用のコンテナにより形成されていることから、容量の大きなチャンバーを容易に形成でき、装置のコストを抑えることが可能である。また、荷台用のコンテナは床面が長方形で、長手の建築材料や家具等を丸ごと収納してシックハウスの原因物質の捕集が可能である。
【００１８】
請求項６の発明によれば、ヒーターが、住宅の床暖房用ヒーターであることから、建築材料や家具等の使用環境に近似した環境での測定ができで、シックハウスの原因物質の実態に即した捕集が可能である。
【発明を実施するための最良の形態】
【００１９】
以下、本発明の形態について図面を参照しながら具体的に説明する。図１は、本発明に係る移動式チャンバー装置の外観を示す説明図である。図２は同移動式チャンバー装置の背面の外観を示す説明図、図３は同移動式チャンバー装置の側面の外観を示す説明図である。図４は、同移動式チャンバー装置の構成を示す構成図である。本発明の形態における移動式チャンバー装置１は、建築材料や家具等から放散するシックハウスの原因物質である揮発性有機化合物（ＶＯＣ）、ホルムアルデヒド及びその他の化合物を捕集して測定する放散測定に用いるチャンバーである。
【００２０】
本実施例の移動式チャンバー装置１は、車両であるトラック５と、トラック５の荷台に搭載されたコンテナ１０と、空気供給制御装置８と、空気捕集装置１８等から構成されている。コンテナ１０は、一般に市販されるトラックの荷台用のコンテナと同等のもので、例えば内外装面がステンレスで形成されている。コンテナ１０の大きさは、例えば、奥行約４ｍ、幅約１．８ｍ、高さ約１．６ｍである。ただし、コンテナ１０の容量は、トラック５に積載が許された範囲であれば特に制限されるものではない。また、コンテナ１０の内壁面には、ヒーター１１が内装されている。このヒーター１１は、住宅の床暖房用に用いられているものである。ヒーター１１としては、例えば、半導体カーボンを発熱体として用いたものがある。また、コンテナ１０の庫内１０ａには、網状又はすのこ状の棚１３が設けられ、建築材料Ｗ１〜Ｗ５は、その棚１３の上に載置される。尚、このコンテナ１０が、建築材料Ｗ１〜Ｗ５から放散する揮発性有機化合物（ＶＯＣ）、ホルムアルデヒド及びその他の化合物を捕集するためのチャンバーとなる。また、捕集するにあたって、庫内１０ａの密閉度が問題となるが、通常のトラック５に用いられるコンテナは密封度が高く、既製品を用いることが可能である。
【００２１】
空気供給制御装置８は、コンテナ１０の庫内１０ａに空気を送り、その空気の温度や湿度を制御するための装置である。空気供給制御装置８は、ケミカルフィルタ２０、恒温恒湿装置２１，バルブ２４等から構成されている。ケミカルフィルタ２０は吸気口３０から取り入れた外気を清浄するためのもので、清浄された空気はダクト３１を介して恒温恒湿装置２１に送られる。恒温恒湿装置２１は、内部の空気の温度及び湿度を操作パネル２２，２３で定めた値に保持する装置である。恒温恒湿装置２１から出た空気は、空気の流量を制御するバルブ２４及びダクト３２を介して、コンテナ１０の庫内１０ａに送り込まれる構成となっている。尚、庫内１０ａに流れ込む空気の流量を測定するために、ダクト３２に流量計２５が設けられている。また、庫内１０ａの温度を測定するために温度計２６が、庫内１０ａの湿度を測定するために湿度計２７がそれぞれ設けられている。この温度計２６や湿度計２７の表示部は、恒温恒湿装置２１を覆う筐体２８の側面に設けられている。尚、空気供給制御装置８は、トラック５の移動の際には、コンテナ１０の庫内１０ａに収納されている。
【００２２】
空気捕集装置１８は、コンテナ１０の庫内１０ａの空気を捕集し、捕集した空気をサンプルとして持ち帰り可能にするものである。コンテナ１０の背面には、捕集口１５が設けられ、その捕集口１５に差し込まれたダクト３３により空気捕集装置１８が庫内１０ａの空気を捕集可能となっている。
【００２３】
次に、本実施例の移動式チャンバー装置１の使用方法を説明する。まず、空気供給制御装置８をコンテナ１０に収納したトラック５が、家屋等の建築物の建築現場に出向く。そして、その建築現場で、図１に示すように、空気供給制御装置８をセッティングする。そして、コンテナ１０の庫内１０ａの棚１３の上に、試験対象である建築材料Ｗ１〜Ｗ５を載置する。尚、この建築材料Ｗ１〜Ｗ５は、試験のために特別に切り出した試験片ではなく、試験が終わった後は、実際に建築物に使用する建材や家具そのものである。次に、ケミカルフィルタ２０で清浄された空気を、コンテナ１０の庫内１０ａの温度が約３０℃で湿度が約８０％になるように恒温恒湿装置２１で制御し、庫内１０ａに送り込む。また、庫内１０ａに送り込む空気の流量は、庫内１０ａの空気が２時間に１回程度入れ替わる程度の量である。実際には、流量計２５、温度計２６、湿度計２７の値を見ながらバルブ２４や恒温恒湿装置２４の設定を変更して、流量、温度、湿度が保たれるようにする。
【００２４】
そして、所定時間が経過し、庫内１０ａの空気中に揮発性有機化合物（ＶＯＣ）、ホルムアルデヒド及びその他の化合物が放散され得た状態で、空気捕集装置１８を用いて庫内１０ａの空気を捕集する。空気捕集装置１８で捕集された空気は、捕集した建築現場で分析するのではなく、分析装置のある施設に持ち帰り分析を行うようにする。
【００２５】
以上のように、本実施例の移動式チャンバー装置１によれば、トラック５により移動可能に設けられたコンテナ１０の庫内１０ａに建築材料Ｗ１〜Ｗ５の試験部材を収納することから、建築現場に出向いて、建築物に使用する建築材料Ｗ１〜Ｗ５や家具等の使用実態に即したシックハウスの原因物質の捕集が可能である。すなわち、実際に建築物に使用する建築材料Ｗ１〜Ｗ５や家具等そのものを測定することで、その建築材料Ｗ１〜Ｗ５を使用した建築物が、完成後にシックハウスの原因物質で問題にならないか否か予め確認することができる。
【００２６】
また、チャンバーが、既存のトラック５のコンテナ１０により形成されていることから、容量の大きなチャンバーを容易に形成でき、装置のコストを抑えることが可能である。また、トラック５用のコンテナ１０は床面が長方形で、長手の建築材料Ｗ１〜Ｗ５や家具等を丸ごと収納してシックハウスの原因物質の捕集が可能である。
【００２７】
さらに、ヒーター１１が、住宅の床暖房用ヒーターであることから、建築材料Ｗ１〜Ｗ５や家具等の使用環境に近似した環境での測定ができで、シックハウスの原因物質の実態に即した捕集が可能である。
【産業上の利用可能性】
【００２８】
以上のように、本発明の移動式チャンバー装置は、移動が可能で、チャンバーの容量も大きいことから、建築材料だけでなく建築物内で使用する家具やカーテン等のシックハウスの原因物質の捕集にも適用することができる。
【図面の簡単な説明】
【００２９】
【図１】本発明に係る移動式チャンバー装置の外観を示す説明図である。
【図２】同移動式チャンバー装置の背面の外観を示す説明図である。
【図３】同移動式チャンバー装置の側面の外観を示す説明図である。
【図４】同移動式チャンバー装置の構成を示す構成図である。
【符号の説明】
【００３０】
１・・・・移動式チャンバー装置
５・・・・トラック
８・・・・空気供給制御装置
１０・・・コンテナ
１１・・・ヒーター
１５・・・捕集口
１８・・・空気捕集装置
２０・・・ケミカルフィルタ
２１・・・恒温恒湿装置
２４・・・バルブ
２５・・・流量計
【図１】
2006343211.tif 000003
【図２】
2006343211.tif 000004
【図３】
2006343211.tif 000005
【図４】
2006343211.tif 000006